(57)【要約】      （修正有）【課題】柱のない大空間を大がかりな材料を必要とせず、半割にした丸棒を使った三角枠素体を組合せて構築するドーム骨格を提供する。【解決手段】丸棒半割にされた材の端部を二方向の角度をつけて切り落とし、三角形枠素体を製作し、三角形枠素体のみを接合することにより、より小さな材料で、より弱い材料でしかも容易に組み立てたり建設したりできる半円筒型ドーム骨組構造体を軽量・安価・容易に形成し、大空間をも構築することがでる。【選択図】図３
0003160162.tif 000002
【実用新案登録請求の範囲】
【請求項１】
円柱状の材料（Ａ）を長手方向に半割線（０）で半割にして、両端の切り口が半円形の半割面（ｓ）を底面とした半円筒状棒状体（Ｂ）を製作し、この半円筒状棒状体（Ｂ）の半割面（ｓ）の長手方向に直角な辺（ａ−ｂ，ｃ−ｄ）から半円筒頂上中心線（Ｔ）に向けて半割面（ｓ）に対し角度（α１，β１）を設けて斜めに切断して、舌状断面（１，２）を形成せしめ、
さらに上から見たとき切断線がハ字状となる様に長手方向と直角に辺（ａ−ｂ，ｃ−ｄ）から角度（α２、β２）をつけて切断し、半円筒頂上中心線（Ｔ）から半割面（ｓ）に向けて複数個所に垂直にボルト穴（ｅ）を設け、アーチ形成用舌状断面付半円筒状棒状体材（Ｃ２）を完成させ、他方、半円筒状棒状体（Ｂ）の両端を上から見たとき切断線がハ字状となる様に長手方向と直角に辺（ａ−ｂ，ｃ−ｄ）から角度（α３、β３）をつけて切断し、さらに切断面の底辺（ａ’−ｂ’，ｃ’−ｄ’）から半円筒頂上中心線（Ｔ）に向けて半割面（ｓ）に対し角度（α４，β４）を設けて斜めに切断して、舌状断面（３，４）を形成せしめ、半円筒頂上中心線（Ｔ）から半割面（ｓ）に向けて複数個所に垂直にボルト穴（ｅ）を設け、アーチ接続用舌状断面付半円筒状棒状体材（Ｄ２）を完成させ、さらに、半円筒状棒状体（Ｂ）の半割面（ｓ）の長手方向に直角な辺（ａ−ｂ，ｃ−ｄ）から半円筒頂上中心線（Ｔ）に向けて半割面（ｓ）に対し角度（α５，β５）を設けて斜めに切断して、舌状断面（５，６）を形成せしめ、さらに、辺（ａ−ｂ，ｃ−ｄ）の片方について角度（α６）をつけて切断し、半円筒頂上中心線（Ｔ）から半割面（ｓ）に向けて複数個所に垂直にボルト穴（ｅ）を設け、アーチ形成垂直用舌状断面付半円筒状棒状体材（Ｅ）を完成させ、一方、半円筒状棒状体（Ｂ）の半割面（ｓ）の長手方向に直角な辺（ａ−ｂ，ｃ−ｄ）から半円筒頂上中心線（Ｔ）に向けて半割面（ｓ）に対し角度（α７，β７）を設けて斜めに切断して、舌状断面（７，８）を形成せしめ、底辺用舌状断面付半円筒状棒状体材（Ｆ）を完成させ、かくして得たアーチ形成用舌状断面付半円筒状棒状体材（Ｃ２）一本とアーチ接続用舌状断面付半円筒状棒状体材（Ｄ２）二本を用意し、舌状断面（１）と（４）、（２）と（３）、（３）と（４）が合わさるように正三角形を製作し、三角形枠素体（Ｇ）が出来、同様に、アーチ接続用舌状断面付半円筒状棒状体材（Ｄ２）とアーチ形成垂直用舌状断面付半円筒状棒状体材（Ｅ）と、底辺用舌状断面付半円筒状棒状体材（Ｆ）をそれぞれ一本用意し、舌状断面（３）と（８）、（４）と（５）、（６）と（７）が合わさるように直角三角形を製作し、三角形枠素体（Ｇ’）が出来、このようにして得えられた三角形枠素体（Ｇ）、（Ｇ’）は、（ａ）と（ｃ）が付き合わさって形成される内側の三角形と（ｂ）と（ｄ）が付き合わさって形成される外側の三角形とでは外側の方が大きくなっていることを特徴とする三角形枠素体（Ｇ）、（Ｇ’）。
【請求項２】
請求項１記載の三角形枠素体（Ｇ）、（Ｇ’）を複数用意し、隣り合う互いの半割面（ｓ）同士を（ａ）と（ｃ）、（ｂ）と（ｄ）が合うように当接させて、上記ボルト穴（ｅ）を用いてボルトで接続し、この時アーチ形成用舌状断面付半円筒状棒状体材（Ｃ）とアーチ形成垂直用舌状断面付半円筒状棒状体材（Ｅ）とで、アーチを形成し作業を順次繰り返すことにより骨組みが形成されることを特徴とする半円筒型ドーム骨組構造体（Ｈ）。
【考案の詳細な説明】
【技術分野】
【０００１】半割した丸棒を使った三角形枠素体及び半円筒型ドーム骨組構造体に関するものである。
【背景技術】
【０００２】従来の半円筒型ドーム骨組構造は、ビニールハウスのように予め鋳造された金物や鉄パイプを曲げてトンネル状にするものや、集成材により曲面を構成する構造であった。
【考案の概要】
【考案が解決しようとする課題】
【０００３】以上の従来の半円筒型ドーム構造は、予め鋳造された金物や鉄パイプを曲げてトンネル状にするものについては、空間が大きくなればなるほど重く、溶接などの危険な工事が必要になる。【０００４】集成材により曲面を構成するものは集成材の厚みが増し、大がかりな建設工事が必要になる。【０００５】集成材は化学物質である接着剤の人体への影響が懸念されている。【０００６】集成材は分厚くなり大変高価である。【０００７】本考案は、安価で、大規模な工場がなくても製作できる、化学物質を使用しない組み立て式の骨組みを提供することを目的とするものである。
【課題を解決するための手段】
【０００８】請求項１記載の三角形枠素体（Ｅ）は、円柱状の材料（Ａ）を長手方向に半割線（０）で半割にして、両端の切り口が半円形の半割面（ｓ）を底面とした半円筒状棒状体（Ｂ）を製作し、この半円筒状棒状体（Ｂ）の半割面（ｓ）の長手方向に直角な辺（ａ−ｂ，ｃ−ｄ）から半円筒頂上中心線（Ｔ）に向けて半割面（ｓ）に対し角度（α１，β１）を設けて斜めに切断して、舌状断面（１，２）を形成せしめ、さらに上から見たとき切断線がハ字状となる様に長手方向と直角に辺（ａ−ｂ，ｃ−ｄ）から角度（α２、β２）をつけて切断し、半円筒頂上中心線（Ｔ）から半割面（ｓ）に向けて複数個所に垂直にボルト穴（ｅ）を設け、アーチ形成用舌状断面付半円筒状棒状体材（Ｃ２）を完成させ、他方、半円筒状棒状体（Ｂ）の両端を上から見たとき切断線がハ字状となる様に長手方向と直角に辺（ａ−ｂ，ｃ−ｄ）から角度（α３、β３）をつけて切断し、さらに切断面の底辺（ａ’−ｂ’，ｃ’−ｄ’）から半円筒頂上中心線（Ｔ）に向けて半割面（ｓ）に対し角度（α４，β４）を設けて斜めに切断して、舌状断面（３，４）を形成せしめ、半円筒頂上中心線（Ｔ）から半割面（ｓ）に向けて複数個所に垂直にボルト穴（ｅ）を設け、アーチ接続用舌状断面付半円筒状棒状体材（Ｄ２）を完成させ、さらに、半円筒状棒状体（Ｂ）の半割面（ｓ）の長手方向に直角な辺（ａ−ｂ，ｃ−ｄ）から半円筒頂上中心線（Ｔ）に向けて半割面（ｓ）に対し角度（α５，β５）を設けて斜めに切断して、舌状断面（５，６）を形成せしめ、さらに、辺（ａ−ｂ，ｃ−ｄ）の片方について角度（α６）をつけて切断し、半円筒頂上中心線（Ｔ）から半割面（ｓ）に向けて複数個所に垂直にボルト穴（ｅ）を設け、アーチ形成垂直用舌状断面付半円筒状棒状体材（Ｅ）を完成させ、一方、半円筒状棒状体（Ｂ）の半割面（ｓ）の長手方向に直角な辺（ａ−ｂ，ｃ−ｄ）から半円筒頂上中心線（Ｔ）に向けて半割面（ｓ）に対し角度（α７，β７）を設けて斜めに切断して、舌状断面（７，８）を形成せしめ、底辺用舌状断面付半円筒状棒状体材（Ｆ）を完成させ、かくして得たアーチ形成用舌状断面付半円筒状棒状体材（Ｃ２）一本とアーチ接続用舌状断面付半円筒状棒状体材（Ｄ２）二本を用意し、舌状断面（１）と（４）、（２）と（３）、（３）と（４）が合わさるように正三角形を製作し、三角形枠素体（Ｇ）が出来、同様に、アーチ接続用舌状断面付半円筒状棒状体材（Ｄ２）とアーチ形成垂直用舌状断面付半円筒状棒状体材（Ｅ）と、底辺用舌状断面付半円筒状棒状体材（Ｆ）をそれぞれ一本用意し、舌状断面（３）と（８）、（４）と（５）、（６）と（７）が合わさるように直角三角形を製作し、三角形枠素体（Ｇ’）が出来、このようにして得えられた三角形枠素体（Ｇ）、（Ｇ’）は、（ａ）と（ｃ）が付き合わさって形成される内側の三角形と（ｂ）と（ｄ）が付き合わさって形成される外側の三角形とでは外側の方が大きくなっていることを特徴とする。【０００９】請求項２記載の半円筒型ドーム骨組構造体は、三角形枠素体（Ｇ）、（Ｇ’）を複数用意し、隣り合う互いの半割面（ｓ）同士を（ａ）と（ｃ）、（ｂ）と（ｄ）が合うように当接させて、上記ボルト穴（ｅ）を用いてボルトで接続し、この���アーチ形成用舌状断面付半円筒状棒状体材（Ｃ）とアーチ形成垂直用舌状断面付半円筒状棒状体材（Ｅ）とで、アーチを形成し作業を順次繰り返すことにより骨組みが形成されることを特徴とする。【００１０】本考案で用いる円柱状の材料としては、木材、金属等が挙げられるが、中でもコスト、扱いやすさ、環境問題等を考慮すると間伐材を利用することが望ましい。【００１１】上記舌状断面（１）と（４）、（２）と（３）、（３）と（４）及び、（３）と（８）、（４）と（５）、（６）と（７）を接続する方法としては、互いにがっちり接続させる方が良く、釘、ビス、ボルト又はダボ接合などいずれでもよい。【００１２】大空間構築の場合、補強として数か所、アーチ形成用舌状断面付半円筒状棒状体材（Ｃ２）同士の接合の間にアーチ状鉄板を挟み込む。
【考案の効果】
【００１３】本考案の三角形枠素体の製作には、一般に手に入れることが容易なビスやダボを使用するので、安価で容易に製作できる。【００１４】本考案の三角形枠素体同士の接続には、一般に手に入れることが容易なボルトを使用するので、安価で容易に組み立てができる。【００１５】本考案の骨組構造体は、材の長さや太さ、角度を変えることにより大きさや形を変えることがでる。【００１６】本考案の骨組構造体は、小さいものでは組み立てたり解体したりするのが容易であり、個人でも繰り返し使うことが出来、また大きいものでも解体した後はまた再使用可能である。【００１７】本考案の骨組構造体は、細い材で大きな空間を形成することができる。
【図面の簡単な説明】
【図１】本考案の三角形枠素体（Ｇ），（Ｇ’）を作成するため、アーチ形成用舌状断面付半円筒状棒状体材（Ｃ２）とアーチ接続用舌状断面付半円筒状棒状体材（Ｄ２）とアーチ形成垂直用舌状断面付半円筒状棒状体材（Ｅ）と、底辺用舌状断面付半円筒状棒状体材（Ｆ）を製作する手順を示す説明図。
【図２】アーチ形成用舌状断面付半円筒状棒状体材（Ｃ２）とアーチ接続用舌状断面付半円筒状棒状体材（Ｄ２）とアーチ形成垂直用舌状断面付半円筒状棒状体材（Ｅ）と底辺用舌状断面付半円筒状棒状体材（Ｆ）を用いて、三角形枠素体（Ｇ），（Ｇ’）を作成するための組み合わせ方を示す説明図。
【図３】本考案の三角形枠素体Ｇ），（Ｇ’）を接続して骨組み構造を形成する接続方法の説明図。
【図４】実施例に用いた丸棒を示す説明図。
【図５】実施例に用いた丸棒を半割にする状況を示す説明図。
【図６】実施例に用いた半割面を底面とした半円筒状棒状体（Ｂ）を示す説明図。
【図７】実施例に用いたアーチ形成用舌状断面付半円筒状棒状体材（Ｃ２）とアーチ接続用舌状断面付半円筒状棒状体材（Ｄ２−１）、（Ｄ２−２）とアーチ形成垂直用舌状断面付半円筒状棒状体材（Ｅ）と底辺用舌状断面付半円筒状棒状体材（Ｆ）を示す説明図。
【図８】実施例に用いたアーチ形成用舌状断面付半円筒状棒状体材（Ｃ２）とアーチ接続用舌状断面付半円筒状棒状体材（Ｄ２−１）、（Ｄ２−２）とアーチ形成垂直用舌状断面付半円筒状棒状体材（Ｅ）と底辺用舌状断面付半円筒状棒状体材（Ｆ）を用いて、作成した三角形枠素体（Ｇ），（Ｇ’）を示す説明図。
【図９】実施例に用いた三角形枠素体（Ｇ），（Ｇ’）の組み合わせ方を示す説明図。
【図１０】実施例に用いた三角形枠素体（Ｇ），（Ｇ’）同士を接続して半円筒型ドーム骨組構造体（Ｈ）を真上、真横、斜めから見た組み合わせ方の説明図。
【考案を実施するための形態】
【実施例】
【００１８】以下図面を用いて、本考案の実施の一例を説明する。
図４、図５は図１に示した丸棒Ａの実施例に用いた詳細図である。本実施例では直径１５ｍｍの丸棒で、長さはそれぞれＡ１では、２４２．０ｍｍ、Ａ２では、２０９．５ｍｍ、Ａ３では１２１．０ｍｍの材料を用意した。【００１９】図６は図１のＢ１に示した半割面（ｓ）を底面とした半円筒状棒状体Ｂの実施例に用いた詳細図である。本実施例では直径１５ｍｍの丸棒を長手方向に半割線（０）で半割にして、以下の半円筒状棒状体Ｂを得た。長さと数はそれぞれＢ１では、２４２．０ｍｍ２３６本、Ｂ２では、２０９．５ｍｍ８本。Ｂ３では１２１．０ｍｍ８本を得た。【００２０】図７は図１のＣ２，Ｄ２，Ｅ，Ｆに示した舌状断面付半円筒状棒状体材Ｃ２，Ｄ２，Ｅ，Ｆの実施例に用いた詳細図である。
Ｃ２は実施例において、α１、β１は３０．０度、α２、β２８．１８度のアーチ形成用舌状断面付半円筒状棒状体材で７６本。Ｄ２−１はＤ２の実施例においてα３、β３は８．１８度、α４、β４は３０．０度のアーチ接続用舌状断面付半円筒状棒状体材で１５２本。Ｄ２−２はＤ２の実施例においてα３、β３は８．１８度、α４は１５．０度、β４は３０．０度のアーチ接続用舌状断面付半円筒状棒状体材で４本と左右対称のものが４本。Ｅは実施例においてα５、β５は３０．０度、α６は８．１８度のアーチ形成垂直用舌状断面付半円筒状棒状体材で４本と左右対称のものが４本。Ｆは実施例においてα７は１５．０度、β７は４５．０度の底辺用舌状断面付半円筒状棒状体材で４本と左右対称のものが４本を得た。【００２１】図８は図２に示した三角形枠素体Ｇ，Ｇ’の実施例に用いた詳細図である。上記で得た舌状断面付半円筒状棒状体を用いて得る２種類の三角形枠素体Ｇ，Ｇ’を示す。Ｄ２に相当するアーチ接続用舌状断面付半円筒状棒状体材（Ｄ２−１）２本とアーチ形成用舌状断面付半円筒状棒状体材（Ｃ２）１本用意し、（１）と（４）、（２）と（３）、（３）と（４）が合わさるように正三角形を製作し、三角形枠素体Ｇをつくった。一方、Ｄ２に相当するアーチ接続用舌状断面付半円筒状棒状体材（Ｄ２−２）１本とアーチ形成垂直用舌状断面付半円筒状棒状体材（Ｅ）１本と底辺用舌状断面付半円筒状棒状体材（Ｆ）１本用意し、（３）と（８）、（４）と（５）、（６）と（７）が合わさるように直角三角形を製作し、三角形枠素体Ｇ’をつくった。また、同様の方法でＧ’と左右対称な直角の三角形枠素体をつくった。【００２２】図９は図３に示した、三角形枠素体Ｇ，Ｇ’を接続する向きと方法の実施例に用いた詳細図である。端には三角形枠素体Ｇ’を使い、Ｄ２−２とＤ２−１を半割面ｓ同士をａとｃ、ｂとｄが合うように、両辺に設けられたボルト穴ｅを用いてボルトで接続し繋ぎ、その隣に数個のＧがＤ２−１同士が合うように繋げた。【００２３】図１０は、実施例において製作された半円筒型ドーム骨組構造体を示す。底面の大きさは幅１ｍ６８ｃｍ、奥行８３．８ｃｍ高さ８５ｃｍとなった。これに、ビニールシートをかぶせることで、温室につかうことができた。
【産業上の利用可能性】
【００２４】本考案の半円筒型ドームは、駐輪場、カーポート、温室、ビニールハウス、パーゴラ、アーチトレリス、商業施設、ホール、体育館、屋外競技場の屋根、イベントホール、倉庫等の利用が考えられる。
【符号の説明】Ａ：円柱状の材料
Ｂ：半円筒状棒状体
Ｃ：アーチ形成用舌状断面付半円筒状棒状体材
Ｄ：アーチ接続用舌状断面付半円筒状棒状体材
Ｅ：アーチ形成垂直用舌状断面付半円筒状棒状体材
Ｆ：底辺用舌状断面付半円筒状棒状体材
ａ，ｂ，ｃ，ｄ：舌状断面付半円筒状棒状体材の四隅
ｅ：ボルト穴
ｅ’：接続ボルト
ｆ：ダボまたはビス
ｓ：半割面
α、β：切断角度
０：半割線
Ｔ：円筒頂上中心線
１，２，３，４，５，６，７，８：舌状断面
Ｇ，Ｇ’：三角形枠素体
Ｈ：半円筒型ドーム骨組構造体
【図１】
0003160162.tif 000003
0003160162.tif 000004
【図２】
0003160162.tif 000005
0003160162.tif 000006
【図３】
0003160162.tif 000007
【図４】
0003160162.tif 000008
【図５】
0003160162.tif 000009
【図６】
0003160162.tif 000010
【図７】
0003160162.tif 000011
【図８】
0003160162.tif 000012
【図９】
0003160162.tif 000013
【図１０】
0003160162.tif 000014
【手続補正書】
【提出日】平成22年4月15日(2010.4.15)
【手続補正２】
【補正対象書類名】図面
【補正対象項目名】全図
【補正方法】変更
【補正の内容】
【図１】
0003160162.tif 000015
【図２】
0003160162.tif 000016
【図３】
0003160162.tif 000017
【図４】
0003160162.tif 000018
【図５】
0003160162.tif 000019
【図６】
0003160162.tif 000020
【図７】
0003160162.tif 000021
【図８】
0003160162.tif 000022
【図９】
0003160162.tif 000023
【図１０】
0003160162.tif 000024